【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
内部支持フレーム手段、及び、少なくとも１つのフレキシブルウェブの少なくとも１層が、前記フレキシブルウェブにより前記支持フレーム手段に付加される圧力を伴って前記支持フレーム手段の周囲に巻かれ、事前に配置された前記フレキシブルウェブに少なくとも部分的に重なることで少なくとも一部分に作製され、前記支持フレーム手段を少なくとも部分的に囲む外板を有し、
これによって、前記ウェブ又は複数のウェブのうち少なくともいくつかの重なり領域が互いに接着されることを特徴とするパネル又は物の構造。
【請求項２】
複数の前記層を備え、これによって、前記層のうち少なくともいくつかの層が前記層のうち他の少なくとも１層に接着されることを特徴とする請求項１に記載されたパネル又は物の構造。
【請求項３】
前記支持フレーム手段が単一のフレーム要素であることを特徴とする請求項１又は２に記載されたパネル又は物の構造。
【請求項４】
前記支持フレーム手段は少なくとも２つのフレーム要素を有し、前記フレーム要素は離れて配置され、及び前記フレキシブルウェブ又は複数のウェブによって巻かれ、隣り合うフレーム要素間の前記フレキシブルウェブ又は複数のウェブがヒンジ手段を形成することを特徴とする請求項１又は２に記載されたパネル又は物の構造。
【請求項５】
前記単一のフレーム要素がヒンジ手段によって相互に連結される少なくとも２つの部分を有することを特徴とする請求項４に記載されたパネル又は物の構造。
【請求項６】
前記内部支持フレーム手段は前記外板によって全体的に囲まれることを特徴とする請求項１から５のいずれか１項に記載されたパネル又は物の構造。
【請求項７】
前記フレキシブルウェブ又は複数のウェブは互いに異なる角度、好ましくは実質的に９０°に配置される少なくとも２方向に巻かれることを特徴とする請求項６に記載されたパネル又は物の構造。
【請求項８】
前記フレキシブルウェブはフレキシブルプラスチックフィルムウェブであることを特徴とする請求項１から７のいずれか１項に記載されたパネル又は物の構造。
【請求項９】
前記フレキシブルウェブは降伏点を越えて事前に延伸したプラスチックフィルムであり、その長さを延ばし、その厚さを薄くし、前記フィルムがいくらかの記憶を保持することを特徴とする請求項８に記載されたパネル又は物の構造。
【請求項１０】
空気を前記外板内に閉じこめ保持することを特徴とする請求項８又は９に記載されたパネル又は物の構造。
【請求項１１】
前記フレキシブルプラスチックウェブ又は複数のウェブは自己接着特性を有し、又は個別の接着剤又は接着層を使用して、前記フレキシブルウェブ又は複数のウェブの層をともに接着することを特徴とする請求項８又は９に記載されたパネル又は物の構造。
【請求項１２】
前記支持フレーム手段は周辺部に実質的に剛性のフレーム構成を有し、前記周辺剛性フレーム構成の内部に実質的に空間を定義することを特徴とする請求項１又は２、または請求項１又は２に直接従属する場合の請求項６、８又は９のいずれか１項に記載されたパネル又は物の構造。
【請求項１３】
前記実質的な空間に液体を供給する注入手段を有する請求項１２に記載されたパネル又は物の構造。
【請求項１４】
前記実質的な空間から液体を排出する出口手段をさらに有する請求項１２に記載されたパネル又は物の構造。
【請求項１５】
前記外板の領域が前記周辺部の剛性フレームの一部から上方および内部に導入する傾斜面を形成する請求項１２に記載されたパネル又は物の構造。
【請求項１６】
分離された前記周辺部の剛性フレームの一部から、それぞれ上方および内部に導入する複数の傾斜面を含む請求項１５に記載されたパネル又は物の構造。
【請求項１７】
前記外板が、前記周辺部の剛性フレームが黒色または暗く不透明である領域を含む前記パネル又は物の構造の基部領域を形成する請求項１５又は１６に記載されたパネル又は物の構造。
【請求項１８】
前記傾斜面が透明または高透過性である請求項１５又は１６に記載されたパネル又は物の構造。
【請求項１９】
水からの蒸発を抑制するための請求項８に記載のパネルであって、
前記外板が、少なくとも１つのフレキシブルプラスチックフィルムウェブの少なくとも１層が前記フレキシブルウェブにより前記支持フレーム手段に付加される圧力を伴って前記支持フレーム手段の周囲に巻かれ、事前に配置された前記フレキシブルプラスチックフィルムウェブに少なくとも部分的に重なることで少なくとも一部分に作製され、
これによって、前記フレキシブルプラスチックフィルムウェブ又は複数のウェブの少なくともいくつかの重なり領域が互いに接着される水からの蒸発を抑制するための請求項８に記載のパネル。
【請求項２０】
脱塩装置として使用するための請求項８に記載の物であって、
前記内部支持フレーム手段が実質的に剛性を有し、
前記内部支持フレーム手段を含む前記外板が、少なくとも１つのフレキシブルプラスチックフィルムウェブの少なくとも１層が前記フレキシブルウェブにより前記支持フレーム手段に付加される圧力を伴って前記内部支持フレーム手段の周囲に巻かれ、事前に配置された前記フレキシブルプラスチックフィルムウェブに少なくとも部分的に重なることで少なくとも一部分に作製され、
これによって、前記フレキシブルプラスチックフィルムウェブ又は複数のウェブの少なくともいくつかの重なり領域が互いに接着され、前記支持フレーム手段及び前記外板は注入口及び出口配置手段を有する密閉された内部区域を定義し、前記内部区域に及びそこから、脱塩される水を導入し及び取り出し、前記外板は、少なくとも１つの上部領域を前記支持フレーム手段の少なくとも１つの中空区域から上方に傾斜させ、前記支持フレーム手段はさらに水収集及び排出手段を有し、前記上方に傾斜した領域に凝縮した純水を収集し、前記支持フレーム手段の前記少なくとも１つの中空区域にそれを運搬する脱塩装置として使用するための請求項８に記載の物。
【請求項２１】
請求項１から１８のいずれか１項に記載された少なくとも１つのパネル構造から構成される容器。
【請求項２２】
複数の前記パネル構造を備え、ヒンジ手段を介してともに接続され、前記容器を実質的に平坦な状態で移送し、最終使用者によって前記容器に組み立てることを特徴とする請求項２１に記載された容器。
【請求項２３】
請求項１から１８のいずれか１項に記載された少なくとも１つの長方形形状のパネル構造を有し、さらに、前記パネル構造の少なくとも１つの対向する縁部を係合し保持する保持手段を有することを特徴とする壁構造要素。
【請求項２４】
前記内部支持フレーム手段は２つの互いに平行な第１フレーム部材が互いに隔離しており、各前記第１フレーム部材が少なくとも１つのヒンジ区域を有し、前記隔離した第１フレーム部材の前記ヒンジ区域は少なくとも１対で配置され、前記対がヒンジ軸を定義し、前記ヒンジ軸の周囲で、前記フレキシブル外板を前記内部支持フレーム手段に貼り付けた後で、前記ヒンジ区域の両面上の前記第１フレーム部材の部分が異なる相対的な配置に位置付けされる請求項１に記載のパネル構造。
【請求項２５】
実質的に平行に互いに隣接して配置される請求項１又は請求項１に従属する場合の請求項６に記載された周辺フレーム構成と、
フレキシブルプラスチックフィルムウェブ材料の少なくとも１層が前記フレキシブルプラスチックフィルムウェブ材料により前記フレーム構成に付加される圧力を伴って前記フレーム構成の全ての周囲で巻かれ、事前に形成した長さの前記フレキシブルプラスチックフィルムウェブ材料を少なくとも部分的に重ねることで作製され、前記ウェブ材料の少なくともいくつかの重なり領域が互いに接着される外皮とを有することを特徴とするフラットパネル組立品。
【請求項２６】
実質的に平行に互いに隣接して配置される請求項１、又は請求項１に従属する場合の請求項６に記載された複数のパネル構造を有し、少なくとも１つの連続する層が前記パネル構造の一方面のみに接着されることを特徴とすることを特徴とするフラットパネル組立品。
【請求項２７】
複数層のフレキシブルウェブが支持フレーム手段の周囲で巻かれることで外板が少なくとも一部分に形成されて前記支持フレーム手段を包装する装置であって、
前記装置は、第１運搬手段及び第２運搬手段を有し、前記第１及び前記第２運搬手段は前記支持フレーム手段を前記第１及び前記第２運搬手段の間で往復して移動するように構成され、及び、前記フレキシブルウェブのロールは、前記第１及び前記第２運搬手段の間に配置され、相対的に高い位置と相対的に低い位置の間で移動可能であり、前記支持フレーム手段が前記第１及び前記第２運搬手段の間で移動するときに、前記フレキシブルウェブの前記ロールが高い位置にあって、前記フレキシブルウェブは前記支持フレーム手段の第１面に沿って連続して位置され、ここですぐに、前記フレキシブルウェブの前記ロールが低い位置に移動し、前記支持フレーム手段が前記第１及び前記第２運搬手段の間で再度移動するときに、前記フレキシブルウェブが前記第１面と反対の前記支持フレーム手段の第２面に沿って位置されることを特徴とする装置。
【請求項２８】
複数層のフレキシブルウェブが支持フレーム手段の周囲で巻かれることで外板が少なくとも一部分に形成されて前記支持フレーム手段を包装する装置であって、
前記装置は、第１運搬手段及び第２運搬手段を有し、前記第１及び前記第２運搬手段の間で前記支持フレーム手段を移動するように配置され、及び、フレキシブルウェブの少なくとも１つのロールはほぼ前記第１及び前記第２運搬手段の間に配置され、前記第１及び前記第２運搬手段の間で移動し前記フレキシブルウェブを前記支持手段上でらせん状に巻いておくように、前記支持フレーム手段の周囲で周回するように配置され、前記装置は、前記支持フレーム手段の反対面上で前記支持フレーム手段の長手方向にらせん状に巻いたものの下で、又はその上で少なくとも１つのフレキシブルウェブを貼り付ける第１フレキシブルウェブ貼付手段をさらに有することを特徴とする装置。
【手続補正２】
【補正対象書類名】明細書
【補正対象項目名】０００４
【補正方法】変更
【補正の内容】
【０００４】
したがって、本発明は、内部支持フレーム手段、及び、少なくとも１つのフレキシブルウェブの少なくとも１層がフレキシブルウェブにより支持フレーム手段に付加される圧力を伴って前記支持フレーム手段の周囲で巻かれ、事前に配置された前記フレキシブルウェブに少なくとも部分的に重なることで少なくとも一部分に作製され、前記支持フレーム手段を少なくとも部分的に囲む外板を有し、これによって、前記ウェブ又は複数のウェブの少なくともいくつかの重なり領域が互いに接着されることを特徴とするパネル又は物の構造を提供する。好ましくは、複数の前記層が形成され、これによって前記層のうち少なくともいくつかの層が少なくとも他の１層に接着される。好ましくは、前記外板は、前記支持フレーム手段に貼り付けられた後に、フレキシビリティを保持し、前記支持フレーム手段上にいくらかの張力及び圧力を付加する。好ましくは、前記外板は前記支持フレーム手段を全体的に囲んでもよい。好ましくは、少なくとも１つの前記フレキシブルウェブがプラスチックフィルムであってもよい。都合よく、利用される前記フレキシブルウェブが配向プラスチックフィルム、延伸プラスチックフィルム又はその降伏点を越えて事前に延伸されたプラスチックフィルムであってもよいが、いくらかの記憶を保持し、これによって、前記支持フレーム手段上で貼り付け後に収縮するようになる。この方法で事前に延伸した鎖状低密度ポリエチレンフィルム材料が本発明の性能のため適当である（しかし本質的ではない）。都合よく、前記外板が完全に１以上のフレキシブルプラスチックフィルムウェブからなってもよく、又は、プラスチックフィルムウェブと少なくとも１つの他のウェブからなってもよく、例えば補強した網や他の材料からなってもよい。このような他の材料は、合板、パネルなどの剛性又は半剛性パネルを含んでもよく、このようなパネルは巻かれたプラスチック材料フィルム内に、又はそれの両面に位置されて、必要ならば強度を増加させてもよい。したがって、物又はパネル構造は、利用する実施の形態によって、相対的に軽重量のパネル構造を提供し、これは安価に製造でき、水又は液体耐性であり、そのようなパネル構造を利用する容器内に梱包される物品を保護することもできる。好適な一実施の形態では、前記内部支持フレーム手段は内部自由空間領域をそれの外部周辺寸法内で定義し、前記外板が前記内部自由空間領域を実質的に囲んでもよい。前記外板は水又は液体耐性であり、水又は液体は内部自由空間領域に入ることができない、又は、選択的に、好ましくは、注入口／出口手段が備えられると、内部自由空間領域がいくらかの液量で水を収納するように構成される。同様の特徴では注入口及び出口が内部自由区域領域に備わることがもちろん確認されることになる。好ましくは、注入口／出口手段は、任意の適当な手段によって再度密閉可能である。都合よく、内部支持フレーム手段を平坦な平面に、又はそれに平行に形成してもよく、代わりに、３次元的に形成してもよい。都合よく、前記支持フレーム手段は内部自由区域領域の外側に対向する凸曲面表面を有する。
【手続補正３】
【補正対象書類名】明細書
【補正対象項目名】０００６
【補正方法】変更
【補正の内容】
【０００６】
物又はパネル構造の好適な特徴としては、添付の請求項２から１８で定義されているようなものであり、これらの請求項の対象は、これらへの参照によって本明細書の開示に組み込まれる。
【手続補正４】
【補正対象書類名】明細書
【補正対象項目名】０００８
【補正方法】変更
【補正の内容】
【０００８】
他の構成によれば、本発明は、剛性内部支持フレーム手段、及び、少なくとも１つのフレキシブルプラスチックフィルムウェブの少なくとも１層が前記支持フレーム手段の周囲に巻かれ、事前に配置された前記フレキシブルプラスチックフィルムウェブに少なくとも部分的に重なることで少なくとも一部分に形成され、前記支持フレーム手段を囲む外板を有し、これによって、前記フレキシブルプラスチックフィルムウェブ又は複数のウェブの少なくともいくつかの重なり領域が互いに接着され、グラフィック表示が前記外板の外部表面に行われることを特徴とするグラフィック表示パネルを提供する。  
【手続補正５】
【補正対象書類名】明細書
【補正対象項目名】０００９
【補正方法】変更
【補正の内容】
【０００９】
さらに別の構成によれば、本発明は、水からの蒸発を抑制するための請求項８に記載のパネルの構造であって、剛性内部支持フレーム手段、及び、少なくとも１つのフレキシブルプラスチックフィルムウェブの少なくとも１層がフレキシブルプラスチックフィルムウェブにより支持フレーム手段に付加される圧力を伴って前記支持フレーム手段の周囲に巻かれ、事前に配置された前記フレキシブルプラスチックフィルムウェブに少なくとも部分的に重なることで少なくとも一部分に形成され、前記支持フレーム手段を囲む外板を有し、これによって、前記フレキシブルプラスチックフィルムウェブ又は複数のウェブの少なくともいくつかの重なり領域が互いに接着されることを特徴とする水からの蒸発を抑制するための請求項８に記載のパネルの構造を提供する。
【手続補正６】
【補正対象書類名】明細書
【補正対象項目名】００１０
【補正方法】変更
【補正の内容】
【００１０】
本発明のさらに別の構成によれば、脱塩装置として使用するための請求項８に記載の物の構造であって、剛性内部支持フレーム手段、及び、少なくとも１つのフレキシブルプラスチックフィルムウェブの少なくとも１層がフレキシブルプラスチックフィルムウェブにより内部支持フレーム手段に付加される圧力を伴って前記支持フレーム手段の周囲に巻かれ、事前に配置された前記フレキシブルプラスチックフィルムウェブに少なくとも部分的に重なることで少なくとも一部分に作製され、前記支持フレーム手段を囲む外板を有し、これによって、前記フレキシブルプラスチックフィルムウェブ又は複数のウェブの少なくともいくつかの重なり領域が互いに接着され、前記支持フレーム手段と前記外板は注入口及び出口配置手段を有する密閉された内部区域を定義し、脱塩される水を前記内部区域に導入し、及びそこから取り出し、前記外板は少なくとも１つの上部領域が前記支持フレーム手段の少なくとも１つの中空区域から上方に傾斜しており、前記支持フレーム手段は水収集及び排出手段を有し、前記上方に傾斜した領域に凝縮する純水を収集し、前記支持フレーム手段の前記少なくとも１つの中空区域にそれを運搬することを特徴とする脱塩装置として使用するための請求項８に記載の物の構造を提供する。
【手続補正７】
【補正対象書類名】明細書
【補正対象項目名】００１１
【補正方法】変更
【補正の内容】
【００１１】
本発明は、組み立てた構成で上述したようにパネル構造を利用することを予期し、添付の請求項２１から２４に定義された多様な用途のために容器又は壁構造を提供することもできる。これらの請求項の対象もまた、これらへの参照によって本明細書の開示に組み入れられる。
【手続補正８】
【補正対象書類名】明細書
【補正対象項目名】００１２
【補正方法】変更
【補正の内容】
【００１２】
本発明は、上述したように少なくとも１つの長方形形状のパネル構造を有し、さらに、前記パネル構造の対向する縁部を係合し保持する保持手段を有する壁構造要素を利用することを提供する。このような壁構造要素の好適な特徴としては、添付の請求項２３に定義されているものであり、これらの請求項の対象はこれらへの参照によって本明細書の開示に組み入れられる。
【手続補正９】
【補正対象書類名】明細書
【補正対象項目名】００１３
【補正方法】変更
【補正の内容】
【００１３】
本発明のさらに別の構成によれば、内部支持フレーム手段は２つの互いに平行な第１フレーム部材が互いに隔離しており、各第１フレーム部材が少なくとも１つのヒンジ区域を有し、隔離した第１フレーム部材のヒンジ区域は少なくとも１対で配置され、前記対がヒンジ軸を定義し、ヒンジ軸の周囲で、フレキシブル外板を内部支持フレーム手段に貼り付けた後で、ヒンジ区域の両面上の第１フレーム部材の部分が異なる相対的な配置に位置付けされる請求項１に記載のパネル構造を提供する。
【手続補正１０】
【補正対象書類名】明細書
【補正対象項目名】００１４
【補正方法】変更
【補正の内容】
【００１４】
また、本発明は、請求項２５に記載のフラットパネル組立品を提供する。本構成の好適な特徴としては、添付の請求項２６に定義されたものであり、これらの請求項の対象はこれらへの参照によって本明細書の開示に組み入れられる。
【手続補正１１】
【補正対象書類名】明細書
【補正対象項目名】００１６
【補正方法】変更
【補正の内容】
【００１６】
削除
【手続補正１２】
【補正対象書類名】明細書
【補正対象項目名】００３４
【補正方法】変更
【補正の内容】
【００３４】
図５ａは、また別の考えられる好ましい実施の形態を図示し、後述するように異なる特徴を有する他は図５と同様である。この場合では、フレーム組立品９０は、一般的には金属、ボール紙又はプラスチック材料の角度付き又はＬ形状の材料から作製し、ヒンジ区域９７、９８及び９９を縦方向のバー部材９１で作製することができる。第２のそのようなバー部材が反対側（不図示）に位置し、２つのバー部材が横軸のバー部材９４、９５、９６及びエンドバー９３によって接続する。第２エンドバー部材及び別の横軸バー部材は図示していない。構成では、各バー部材を接続して底パネル１００、２つの側面パネル１０１及び２つの蓋形成パネル１０２（そのうち１つのみ図示する）を定義するようにする。側面パネル部材１０４を作製するために構成される１対の別のフレーム部材１０３が底パネル１００の隣に位置し、そこから側面に沿って延びる。フレーム部材１０３が縦方向のバー部材９１の次に大まかに位置し、続けてそこに貼り付けられる外板を覆うことでそこにヒンジ接続してもよい。場合によっては、フレーム部材１０３をバー部材９１に接続するために、特定のヒンジ手段を用いてもよい。場合によっては、フレーム部材１０３がバー部材９１から間隔を置く必要があるかもしれなく、この場合では、「剛性」ヒンジ手段が必要になる。すなわち、この意味での剛性は、フレーム組立品９０の面にその後のフィルム包装プロセスで付加される力に抵抗するが、容器などを組み立てるときに１以上のヒンジ区域がフレーム部材１０３のバー部材９１へのヒンジを許容させることである。当然のことながら、ある場合ではヒンジした蓋が必要ではないかもしれないし、そして半分のパネル１０２を作製する蓋が省略されるかもしれない。図５ａの破線の輪郭１０７は、フレーム９０にプラスチックフィルムウェブを包装した後の外板１２の外皮を示す。部分１０５、１０６は、容器を組立た後に必要になり、接着テープで、又はプラスチックフィルムウェブで容器をさらに包装することで、容器の外部表面に対し固定される。この方法で構成した容器は液体耐性でもあり、液体又は半流動体の材料を固定、保存又は輸送するために容器を使用してもよいこともまたすぐに確認することになる。
【手続補正１３】
【補正対象書類名】明細書
【補正対象項目名】００３８
【補正方法】変更
【補正の内容】
【００３８】
図７ｃ及び７ｄには、図７に示す容器１３０の正面立面図を概略的に示すが、その他の好ましい特徴も図示する。図７ｃに示すように、間隔を空けた支え１５０及び１５１が外側の外皮内で縁部フレーム構造１１に各端部で固定されている。支え１５０、１５１は離れて間隔を空けて区間１５２を備え、リフトトラックのフォークが容器の下にアクセスして持ち上げることを可能にし、必要な場合にそれの取り扱いを可能にする。図７ｄに図示するように、支え１５０、１５１は溝が逆になった形状の部材であり、内部の区間１５３、１５４にリフトトラックのフォークを置くものであってもよい。図示するように、図７ｄでは本発明のパネル構造から作製された蓋１５５も備え、周辺フレーム１１内の内部区域１５６が、容器の上部の縁部の外側周辺に接近している内部寸法を有する。蓋１５５のプラスチックフィルム外板を適度にフレキシブルにして、蓋１５５が図示の位置に押されるようにしてもよく、必要ならばこの位置でいずれかの適当な手段で固定してもよい。蓋１５５及び容器の側壁１３２から１３５のプラスチック材料フィルムの特性によって蓋と側壁の間を密閉してもよい。
【手続補正１４】
【補正対象書類名】明細書
【補正対象項目名】００４４
【補正方法】変更
【補正の内容】
【００４４】
図１１、１１ａ及び１１ｂには、パネル構造１０を使用する別の製品を図示する。この他の好ましい実施の形態では、支持底壁４１を有する適当な型のパネル構造４０上に容器を作製する。角の柱４２を底支持壁４１の角に取り外し可能に配置し、各角の柱４２がそれに固定される溝部材４３を有し、溝部材４３の開口溝４４が支持底壁４１の側面又は端部の縁部に沿って対向している。必要に応じて、開口溝４６が上方を向いている底溝部材４５を底壁４１の各側面又は端部の縁部に沿って配置する。底溝部材４５を枠組構造４０に取り外し可能に接続してもよい。図に示すように、溝部材４３及び４５の開口溝４４及び４６に枠組構造１０を配置し保持することができる。この用途で必要ならばより大きなパネル構造１０では、少なくとも１つの内部補強リブ又は棒が少なくとも一方方向で内部空洞１３を横断して、反対側の端部が剛性周辺フレーム１１の一部分に接続されていることが望ましい。この型の構成を温室又は同様の構造で使用することもできる。
【手続補正１５】
【補正対象書類名】明細書
【補正対象項目名】００４７
【補正方法】変更
【補正の内容】
【００４７】
図１４及び１５には、上述した物又はパネル構造１０を製造する装置の１つの考えられる形態を概略的に図示する。もちろん、当然ながら、多くの他の形態の装置を手動又は半手動の技術を含んで使用することができる。図１４は装置の平面図を示し、図１５は装置の側面立面図を示す。図示する装置５０は、３対のコンベヤ５１／５２、５３、５４及び５５／５６を有し、各対のコンベヤが使用中にその間に構成される作業空間を有して互い直面し、コンベヤ間に剛性周辺フレーム１１を受け入れる。後述するように、コンベヤの対５３／５４及び５５／５６は、矢印５７で示すように各対の間でフレーム１１を通過させるように構成される。各対のコンベヤ５３／５４と５５／５６の間で、フレキシブルプラスチック材料フィルムウェブのロール５８は、コンベヤ対によってコンベヤ対の間で移動しながら、基本的にフィルムウェブをフレーム１１に貼り付けるように配置される。フィルム５８のロールは矢印６０で示すように縦方向に移動可能でもある。最終的に、コンベヤ５３／５４の対を中心軸６１の周囲で全体的に回転可能として、コンベヤ５５／５６の対と協働し、又はフィルム５８のロールと同様に移動可能である別のフィルムロール５９を利用してコンベヤ５１／５２の別の対と協働するようにしてもよい。
【手続補正１６】
【補正対象書類名】明細書
【補正対象項目名】００４８
【補正方法】変更
【補正の内容】
【００４８】
ここで、本明細書に添付された図１５を参照する。フレーム１１は最初に左側に図示する位置にあり、フィルムウェブ６２はフレーム１１の下面に沿った位置にあり、ロール５８は下部位置６３にあり、ロール５８はその上部位置６４に縦方向に動作し、フレーム１１は右方向に動作し最後に１１’で図示する位置になる。この位置で、フィルムウェブ６３をフレーム１１の上面に沿って置いた。この点で、フィルムロール５８はその底部位置６３に再度動作し、フレーム１１はコンベヤ対５５／５６及び５３／５４で左側位置に動作する。その際、フィルムウェブの第２層をフレーム１１の下面に沿って最初に重ねた層上に貼り付ける。プロセスを繰り返して、目標数の層のフィルムウェブ６２をフレーム１１に貼り付ける。これが終了するときに、フィルムウェブ６２を切断し、コンベヤ対５３／５４を軸６１の周囲で９０°回転させ、それで部分的に包装したフレーム１１を運搬する。そして、包装プロセスを繰り返し、部分的に包装したフレーム１１をコンベヤ対５３／５４と５５／５６の間に再び通過させ、ロール５８からのフィルムウェブ６２を最初に重ねたウェブに対し実質的に９０°の角度で貼り付ける。もちろん、当然のことながら、コンベヤ対５３／５４が軸６１の周囲で全体的に回転可能でなくても、部分的に包装したフレーム１１を同様に移動させ、コンベヤ対５３／５４の間で同様に再配置する前に９０°の位置にフレーム１１を手動又は半手動で再設定することで、同様の効果を得ることができる。異なるフィルム又はその他のウェブ材料６５を都合よく貼り付けることが必要ならば、第２の対の直面しているコンベヤ５１／５２をコンベヤ５３／５４に対し９０°で配置して備え、必要なフィルム又はウェブ材料６５のロール５９をコンベヤ対５１／５２と５３／５４の間に配置してもよい。ロール５９を第１のロール５８に対して９０°で配置し、第１のロール５８と同様の方法で移動可能にする。さらに他の考えられる構成では、４対の直面したコンベヤを備え、第１及び第２の対を第３及び第４の対のコンベヤに対し９０°で配置してもよい。このような構成のフレーム１１を最初の２対のコンベヤと介在するフィルムのロールの協働によって最初の方向に包装し、その後で、第２及び第３の対のコンベヤの間を通過させ、そして、第３と第４の対のコンベヤの間で介在するフィルム又はウェブのロールによって第２の方向に包装する。上述したいずれかの実施の形態では、別々の方向で包装するプロセスを、必要ならば何回も繰り返してもよい。好ましくは、各ウェブ６２／６５はフレーム１１よりもわずかに広い幅を有し、加圧手段（不図示）が延伸縁部をフレーム１１の側面縁部に対して加圧する。都合のよいことに、図示した対５１／５２、５３／５４及び５５／５６のような各コンベヤ対の構成を異なる厚さ、幅及び長さのフレーム１１に対応するために調整可能とすることができる。